(57)【要約】【課題】より高い利便性を有する撮像装置を提供する。【解決手段】デジタルスチルカメラ１０にブレの程度を定量的に検出可能な振動検出センサ１４、ブレ量判定部５０、ブレ補正部５１、制御部３０を設ける。ブレ量判定部５０は、手ブレ検出信号からブレ量を読み取り、ブレ量の程度に応じて、当該画像データが第１〜第３範囲いずれの範囲に属するかを判定する。補正可能な画像データのうち、ブレ量が軽微なものを第１範囲、ブレ量が重大なものを第２範囲とする。補正不可能な画像データを第３範囲とする。制御部３０は第１〜第３範囲に応じた処理を画像データに施す。画像データが適正プリントであるか否かを撮影直後に把握可能なため、撮影機会の喪失を最小限にする。ブレの程度に応じて補正処理を選択できるため、効率のよい補正処理を行うことができる。【選択図】        図４
2007060279.tif 000002
【特許請求の範囲】
【請求項１】
被写体光を撮像して得られた撮像信号をデジタルの画像データに変換し、この画像データを記憶媒体に記憶する撮像装置において、
撮影時のブレの程度を定量的に検出するブレ検出手段と、
前記画像データに対してブレ補正を施すブレ補正手段と、
前記ブレ補正手段でブレ補正を施す第１の範囲、前記ブレ補正手段ではブレ補正を施さず、ブレ補正機能を有する他の外部機器で施す第２の範囲、並びに、前記ブレ補正手段および前記外部機器のいずれでもブレ補正が不可能な第３の範囲のうち、前記ブレ検出手段で検出したブレの程度がいずれの範囲にあるかを判定する判定手段と、
前記第３の範囲と判定された場合に、その旨を警告する警告手段と、
前記第１〜第３の範囲に対応した処理を各部に行わせる動作制御手段とを備え、
前記動作制御手段は、前記第１の範囲と判定された場合、前記ブレ補正手段でブレ補正を行わせて、補正した画像データを前記記憶媒体に記憶させ、
前記第２の範囲と判定された場合、前記ブレ補正手段でブレ補正を行わせず、前記ブレ検出手段で検出されたブレの程度を含む第１の付帯データを、前記画像データに関連付けて前記記憶媒体に記憶させ、
前記第３の範囲と判定された場合、前記警告手段で前記警告を行わせることを特徴とする撮像装置。
【請求項２】
前記第１の範囲と判定された場合、前記ブレ補正手段でブレ補正を施す前に、ブレ補正の実施可否を問い合わせる第１の通知手段と、
前記実施可否を選択させる第１の選択手段とを備えることを特徴とする請求項１記載の撮像装置。
【請求項３】
前記第３の範囲と判定された場合、前記画像データの前記記憶媒体への記憶可否を問い合わせる第２の通知手段と、
前記記憶可否を選択させる第２の選択手段とを備えることを特徴とする請求項１または２記載の撮像装置。
【請求項４】
前記第１の付帯データは、前記画像データとともに、所定形式の同一のファイルに格納されることを特徴とする請求項１ないし３のいずれか１項記載の撮像装置。
【請求項５】
前記第１の範囲と判定された場合、前記動作制御手段は、前記ブレ補正手段でブレ補正を施した旨を情報として含む第２の付帯データを、前記画像データと関連付けて前記記憶媒体に記憶させることを特徴とする請求項１ないし４のいずれか１項記載の撮像装置。
【請求項６】
前記第２の付帯データは、前記画像データとともに、所定形式の同一のファイルに格納されることを特徴とする請求項５記載の撮像装置。
【請求項７】
前記ブレ検出手段は、装置本体の振動を検出する振動検出センサであることを特徴とする請求項１ないし６のいずれか１項記載の撮像装置。
【請求項８】
前記警告手段は、画像を表示する画像表示装置であることを特徴とする請求項１ないし７のいずれか１項記載の撮像装置。
【請求項９】
前記警告として、撮り直しを促すメッセージを前記画像表示装置に表示させる表示制御手段を備えることを特徴とする請求項８記載の撮像装置。
【発明の詳細な説明】
【技術分野】
【０００１】
本発明は、撮影時のブレを補正処理する撮像装置に関する。
【背景技術】
【０００２】
撮像装置として、ＣＣＤなどの固体撮像素子で被写体光を撮像して得られた撮像信号をデジタルの画像データに変換し、この画像データをメモリカードなどの記憶媒体に記憶するデジタルスチルカメラやカメラ付き携帯電話が知られている。このような撮像装置には、撮影時のブレを検出して、画像データに対してブレ補正を施す機能を有するものがある（例えば、下記特許文献１参照）。
【０００３】
上記のようなブレ補正では、当然のことながら、ブレの程度が大きくなる程、処理に掛かる時間が長くなるため、ブレの程度が大きい場合に、ユーザに煩わしさを感じさせることがあった。この問題を解決するためには、高性能な演算装置を搭載すればよいが、このような演算装置は大規模、且つ高価であり、製品の小型化、低価格化を推進する最近の開発傾向から逸脱するおそれがある。このため、従来は、撮像装置にはブレ検出機能だけを設けておき、ブレ補正機能を有する他の外部機器、例えば、パーソナルコンピュータやいわゆるミニラボに設置される業務用プリンタなどでブレ補正を行っていた（例えば、下記特許文献２参照）。
【特許文献１】特開２００４−２０５８０２号公報
【特許文献２】特開平６−３４３１５９号公報
【発明の開示】
【発明が解決しようとする課題】
【０００４】
しかしながら、特許文献２に記載されるように、ブレの程度に関わらず、撮像装置から取り込んだ全画像データに対して、ブレ補正を一律に施した場合、ブレの程度が比較的軽微で、本来撮像装置のブレ補正機能で十分補正が可能な画像データに対しても処理を施しているため、非効率的であるという問題があった。
【０００５】
また、撮像装置、外部機器いずれのブレ補正機能を用いても補正不可能な程、ブレの程度が重篤であった場合、つまり、撮影を失敗した場合、撮影後にユーザが失敗に気付かないと、その画像データが記憶媒体に記憶されたままとなり、記憶媒体の容量が無駄に消費されるという問題があった。そのうえ、撮影を失敗したシーンと同一のシーンで撮り直すことができないという問題があった。
【０００６】
本発明は、上記課題を鑑みてなされたものであり、より高い利便性を有する撮像装置を提供することを目的とする。
【課題を解決するための手段】
【０００７】
本発明の撮像装置は、被写体光を撮像して得られた撮像信号をデジタルの画像データに変換し、この画像データを記憶媒体に記憶する撮像装置において、撮影時のブレの程度を定量的に検出するブレ検出手段と、前記画像データに対してブレ補正を施すブレ補正手段と、前記ブレ補正手段でブレ補正を施す第１の範囲、前記ブレ補正手段ではブレ補正を施さず、ブレ補正機能を有する他の外部機器で施す第２の範囲、並びに、前記ブレ補正手段および前記外部機器のいずれでもブレ補正が不可能な第３の範囲のうち、前記ブレ検出手段で検出したブレの程度がいずれの範囲にあるかを判定する判定手段と、前記第３の範囲と判定された場合に、その旨を警告する警告手段と、前記第１〜第３の範囲に対応した処理を各部に行わせる動作制御手段とを備え、前記動作制御手段は、前記第１の範囲と判定された場合、前記ブレ補正手段でブレ補正を行わせて、補正した画像データを前記記憶媒体に記憶させ、前記第２の範囲と判定された場合、前記ブレ補正手段でブレ補正を行わせず、前記ブレ検出手段で検出されたブレの程度を含む第１の付帯データを、前記画像データに関連付けて前記記憶媒体に記憶させ、前記第３の範囲と判定された場合、前記警告手段で前記警告を行わせることを特徴とする。
【０００８】
前記第１の範囲と判定された場合、前記ブレ補正手段でブレ補正を施す前に、ブレ補正の実施可否を問い合わせる第１の通知手段と、前記実施可否を選択させる第１の選択手段とを備えることが好ましく、前記第３の範囲と判定された場合、前記画像データの前記記憶媒体への記憶可否を問い合わせる第２の通知手段と、前記記憶可否を選択させる第２の選択手段とを備えることが好ましい。
【０００９】
前記第１の付帯データは、前記画像データとともに、所定形式の同一のファイルに格納されることが好ましい。また、前記第１の範囲と判定された場合、前記動作制御手段は、前記ブレ補正手段でブレ補正を施した旨を情報として含む第２の付帯データを、前記画像データと関連付けて前記記憶媒体に記憶させることが好ましく、前記第２の付帯データは、前記画像データとともに、所定形式の同一のファイルに格納されることが好ましい。
【００１０】
前記ブレ検出手段は、装置本体の振動を検出する振動検出センサであることを特徴とすることが好ましい。
【００１１】
前記警告手段は、画像を表示する画像表示装置であることが好ましく、前記警告として、撮り直しを促すメッセージを前記画像表示装置に表示させる表示制御手段を備えることが好ましい。
【発明の効果】
【００１２】
本発明の撮像装置によれば、撮影時のブレの程度を定量的に検出するブレ検出手段と、画像データに対してブレ補正を施すブレ補正手段と、ブレ補正手段でブレ補正を施す第１の範囲、ブレ補正手段ではブレ補正を施さず、ブレ補正機能を有する他の外部機器で施す第２の範囲、並びに、ブレ補正手段および外部機器のいずれでもブレ補正が不可能な第３の範囲のうち、ブレ検出手段で検出したブレの程度がいずれの範囲にあるかを判定する判定手段と、第３の範囲と判定された場合に、その旨を警告する警告手段と、第１〜第３の範囲に対応した処理を各部に行わせる動作制御手段とを備え、動作制御手段は、第１の範囲と判定された場合、ブレ補正手段でブレ補正を行わせて、補正した画像データを記憶媒体に記憶させ、第２の範囲と判定された場合、ブレ補正手段でブレ補正を行わせず、ブレ検出手段で検出されたブレの程度を含む第１の付帯データを、画像データに関連付けて記憶媒体に記憶させ、第３の範囲と判定された場合、警告手段で警告を行わせるので、ブレの程度に適応したブレ補正を確実に施すことができる。また、撮影を失敗した画像が記憶媒体に記憶されたままとなることがなく、記憶媒体の容量を有効に活用することができる。さらに、撮影を失敗したシーンと同一のシーンで撮り直すことができる。従って、より高い利便性を有する撮像装置を提供することができる。
【００１３】
ブレの程度が第１の範囲と判定された場合、ブレ補正手段でブレ補正を施す前に、ブレ補正の実施可否を問い合わせる第１の通知手段と、実施可否を選択させる第１の選択手段とを備え、また、第３の範囲と判定された場合、画像データの記憶媒体への記憶可否を問い合わせる第２の通知手段と、記憶可否を選択させる第２の選択手段とを備えるため、ユーザがブレた画像をわざと撮影したい場合など、ユーザの撮影意図に応じた処理を選択することが可能になる。
【００１４】
ブレの程度が第２の範囲と判定された場合、ブレ検出手段で検出されたブレの程度を含む第１の付帯データを画像データに関連付けることによって、外部機器での補正処理を可能にする。また、ブレ補正手段でブレ補正を施した旨を情報として含む第２の付帯データを画像データに関連付けることによって、外部機器は当該画像データが補正済みであるか否かを判断することができる。これらにより外部機器における補正処理が簡略化される。このような第１または第２の付帯データを、画像データとともに所定形式の同一ファイルに格納することによって、画像データの管理を容易にする。
【発明を実施するための最良の形態】
【００１５】
図１において、デジタルスチルカメラ１０は、カメラボディ１１の前面から突出したレンズ鏡胴１２を備えている。レンズ鏡胴１２には撮影レンズ１３が保持されている。レンズ鏡胴１２の内部には、ブレ検出手段である振動検出センサ１４（詳しくは後述する）が設けられている。
【００１６】
デジタルスチルカメラ１０の上面には、電源スイッチのオン／オフと、撮影モード／再生モード／設定モードの切り換えを行うときに操作される操作ダイヤル１５と、レリーズボタン１６が設けられている。レリーズボタン１６は、半押し操作と全押し操作の二段階の押下操作が可能である。レリーズボタン１６を半押し操作すると、露出調整及びフォーカス調節が行われる。レリーズボタン１６を半押し操作した状態からレリーズボタン１６を押し込む全押し操作を行うと、露出調整及びフォーカス調節が施された一画面分の撮像信号が画像データに変換される。更に、この画像データは、後述する各種画像処理を施され、メモリカード１８に記憶される。
【００１７】
図２において、デジタルスチルカメラ１０の後面には、液晶の表示パネル２０が設けられている。表示パネル２０は、撮影モードでは電子ビューファインダとして機能し、撮像されたスルー画を表示する。また、再生モードでは、画像データとして記憶された静止画を表示する。更に、設定モードでは、表示パネル２０に各種設定画面を表示する。
【００１８】
メモリカード１８は、デジタルスチルカメラ１０の側面に設けられたメモリカードスロット２３に着脱自在に装填される。撮影モードで得た画像データはこのメモリカード１８に記憶される。
【００１９】
カーソルボタン２４は、各種の設定の切り換えや、表示パネル２０に表示される各種処理確認画面上の操作に用いられる。決定ボタン２５は、カーソルボタン２４によって選択された処理を実行するためのボタンである。
【００２０】
図３において、制御部３０は、ＲＯＭ３１に記憶されたシーケンスプログラムをワークメモリであるＲＡＭ３２に読み出して実行する。制御部３０は、操作ダイヤル１５、レリーズボタン１６、カーソルボタン２４及び決定ボタン２５の操作により発生する操作信号に従ってデジタルスチルカメラ１０の各部を制御する。
【００２１】
撮影レンズ１３の背後には、ＣＣＤイメージセンサ３３が設けられている。ＣＣＤイメージセンサ３３は、撮影レンズ１３を透過して形成される被写体光を撮像信号として光電変換する。
【００２２】
ＣＤＳ／ＡＭＰ回路３４は、相関二重サンプリング回路（ＣＤＳ）と、増幅器（ＡＭＰ）とからなる。ＣＤＳは、ＣＣＤイメージセンサ３３が出力した撮像信号からＲ，Ｇ，Ｂのアナログ画像信号を生成する。ＡＭＰは、ＣＤＳによって生成されたＲ，Ｇ，Ｂのアナログ画像信号を増幅する。Ａ／Ｄ変換器３５は、ＣＤＳ／ＡＭＰ回路３４から出力されたアナログ画像信号をデジタル画像信号である画像データに変換する。Ａ／Ｄ変換器３５によって、デジタル変換されたデジタルの画像データはＳＤＲＡＭ３６に一旦格納される。
【００２３】
画像信号処理回路３７は、ＳＤＲＡＭ３６から読み出した画像データに対し、階調変換、ホワイトバランス補正、γ補正、ＹＣ変換処理などの各画像処理を施す。ＶＲＡＭ３８は、画像信号処理回路３７で各種画像処理が施された画像データを表示用画像データとして一時的に記憶する。ビデオエンコーダ３９は、ＶＲＡＭ３８に書き込まれた表示用画像データをコンポジット信号に変換し、表示パネル２０にスルー画を表示させる。
【００２４】
圧縮伸長処理回路４１は、レリーズボタン１６の全押し操作により撮影が実行されたときに、画像信号処理回路３７で各種画像処理が施された画像データに対して、例えば、ＪＰＥＧ形式などの所定の圧縮形式で画像圧縮を施す。圧縮された画像データは、メディアコントローラ４２を経由して、メモリカード１８に記憶される。
【００２５】
制御部３０には、前述の操作ダイヤル１５など各種操作ボタンの他に、振動検出センサ１４、ブレ量判定部５０及びブレ補正部５１が接続されている。振動検出センサ１４は、撮影時のブレを検出し、ブレの方向と大きさを示すブレ検出信号を制御部３０へ出力する。振動検出センサ１４としては角速度センサなどが用いられる。
【００２６】
ブレ補正部５１は、手ブレ検出信号に基づいて当該画像データに簡易的なブレ補正処理を施す。この補正処理によりブレを生じた画像データは、ブレが目立たない画像データとなる。
【００２７】
ブレ量判定部５０は、振動検出センサ１４からの手ブレ検出信号に基づいて、撮影画像に生じたブレの程度を、以下に挙げる第１ないし第３の範囲のいずれか１つの範囲に属するかを判定する。すなわち、ブレ量判定部５０は、振動検出センサ１４で検出したブレの程度が、ブレ補正部５１によって補正可能な範囲内を第１の範囲、ブレ補正部５１で補正可能な範囲になく、パーソナルコンピュータ及びミニラボの業務用プリンタなど外部機器による補正処理が可能な範囲を第２の範囲、ブレ補正部５１及び外部機器のいずれでもブレ補正が不可能な範囲を第３の範囲として上記判定を行う。
【００２８】
ここで、第１の範囲と第２の範囲との境界値は、ブレ補正部５１によるブレ補正の処理時間によって決定される。例えば、ユーザが煩わしさを感じない限界の処理時間を２秒とする場合は、ブレ補正部５１によって処理時間が２秒以上要するブレの程度を境界値とする。また、第２の範囲と第３の範囲との境界値は、代表的なプリントサイズ（例えばＬサイズ）で画像を印刷出力したときに、ブレが目立たない程度に補正することができるブレの程度の許容量と、代表的な外部機器によるブレ補正の処理能力とに基づいて決定される。
【００２９】
ブレ量判定部５０が当該画像データを第１の範囲と判定すると、ビデオエンコーダ３９は、制御部３０の制御の下で、表示パネル２０に補正処理確認画面５５（図５）を表示する。この補正処理確認画面５５は、ユーザに当該画像データについて補正処理の許可を請うメッセージ５５ａ、そのメッセージ５５ａが表わす処理を許可する選択肢５５ｂ、及び却下する選択肢５５ｃから構成される。カーソルボタン２４の操作によって選択肢５５ｂ、５５ｃのうちいずれかを選択した後、決定ボタン２５が操作されると、制御部３０に選択された選択肢に応じて許可信号或いは却下信号が出力される。制御部３０は、この許可信号或いは却下信号に基づき、所定の処理を実行する。
【００３０】
ブレ補正部５１による画像データの補正処理の完了後、制御部３０は、ブレ補正部５１で補正した旨を表す補正済み情報を生成する。この補正済み情報は、例えば、当該画像データが補正処理済みの場合は０、補正処理が未処理の場合は１のように定義される。制御部３０は、このような補正済み情報を、当該画像データの付帯データとして関連付ける。
【００３１】
ブレ量判定部５０が当該画像データを第２の範囲と判定すると、制御部３０は、ブレ量情報を付帯データとして当該画像データに関連付ける。このブレ量情報は、手ブレ検出信号に含まれるブレの大きさ及び方向から構成される。
【００３２】
外部機器を用いて画像データの補正処理を行う際には、外部機器が画像データと供に、当該画像データが有するブレ量を読み込む必要がある。ブレの方向や大きさを含むブレ量情報は、付帯データとなって当該画像データに関連付けられるため、外部機器はこれらを読み込み、画像データの補正処理を行うことができる。
【００３３】
ブレ量判定部５０が当該画像データを第３の範囲と判定すると、制御部３０の制御の下で、ビデオエンコーダ３９は警告メッセージ５６（図６）を表示パネル２０に表示する。ユーザは、この警告メッセージ５６により、撮影した画像データに補正が不可能なブレが生じたことを認識することができる。
【００３４】
この警告メッセージ５６の表示中に、制御部３０がカーソルボタン２４或いは決定ボタン２５からの操作信号を検出すると、ビデオエンコーダ３９は、制御部３０の制御の下で、画像データ破棄確認画面５７（図７）を表示パネル２０に表示する。この画像データ破棄確認画面５７は、ユーザに当該画像データについて画像データ破棄の許可を請うメッセージ５７ａ、そのメッセージ５７ａが表わす処理を許可する選択肢５７ｂ、及び却下する選択肢５７ｃから構成される。カーソルボタン２４の操作によって選択肢５７ｂ、５７ｃのうちいずれかを選択した後、決定ボタン２５が操作されると、制御部３０に選択された選択肢に応じて許可信号或いは却下信号が出力される。制御部３０は、この許可信号或いは却下信号に基づき、所定の処理を実行する。
【００３５】
メモリカード１８には複数の画像ファイルが格納可能である。この画像ファイル６０は、図８のように、撮影した各コマの画像データが格納される第１の領域と、ブレ情報前述した付帯データ、及び撮影日付、撮影条件などの画像付帯情報が格納される第２の領域から構成される。デジタルスチルカメラ１０は、この論理フォーマットに従い、画像データを第１の領域に格納し、それに付帯する付帯データ及び画像付帯情報を第２の領域に格納する。この論理フォーマットは、例えばＥｘｉｆフォーマットなどがある。
【００３６】
次に、上記構成を有するデジタルスチルカメラ１０の動作について、図４のフローチャートを用いて説明する。まず、デジタルスチルカメラ１０で被写体の撮影を行う際には、操作ダイヤル１５を操作してデジタルスチルカメラ１０の電源を投入し、撮影モードを選択する。
【００３７】
撮影モード下において、撮影レンズ１３を透過して形成される被写体光は、ＣＣＤイメージセンサ３３により光電変換され撮像信号となる。この撮像信号は、ＣＤＳ／ＡＭＰ回路３４を経由してアナログの画像データとなり、更に、Ａ／Ｄ変換器３５でデジタルの画像データに変換される。
【００３８】
デジタル変換された画像データはＳＤＲＡＭ３６に順次記録される。ＳＤＲＡＭ３６に記録された画像データは、画像信号処理回路３７により、階調変換、ホワイトバランス補正、γ補正、ＹＣ変換処理などの各種画像処理を施された後、表示用画像データとなってＶＲＡＭ３８に格納される。ＶＲＡＭ３８に格納された表示用画像データは、ビデオエンコーダ３９を介して表示パネル２０にスルー画として表示される。この状態でレリーズボタン１６を半押し操作すると、露出調整及びフォーカス調整が行われ、撮影準備処理が施される（ステップＳ９０）。
【００３９】
レリーズボタン１６が操作され、制御部３０がレリーズボタン１６の全押し操作を検出すると、デジタルスチルカメラ１０は撮影を行う（ステップＳ１００）。
【００４０】
この撮影時に、制御部３０が振動検出センサ１４からの手ブレ検出信号を検出したか否かによって、デジタルスチルカメラ１０は当該画像データにブレが生じたかどうかを判断する（ステップＳ１１０）。制御部３０が手ブレ検出信号を検出しない場合、ＳＤＲＡＭ３６に格納された画像データは、圧縮伸長処理回路４１により圧縮処理を施された後、メディアコントローラ４２を介してメモリカード１８に格納される（ステップＳ１６０）。一方、ステップＳ１１０において、制御部３０が手ブレ検出信号を検出した場合は、デジタルスチルカメラ１０の動作状態は、ステップＳ１２０に遷移する。
【００４１】
ステップＳ１２０において、ブレ量判定部５０は、ブレの方向と大きさを含む手ブレ検出信号を読み取り、当該画像データの有するブレの程度が、第１ないし第３の範囲いずれに属するかを判定する。当該画像データが第１の範囲、第２の範囲、第３の範囲に属すると判定された場合には、デジタルスチルカメラ１０はそれぞれステップＳ１３０、ステップＳ１４０、Ｓ１５０に遷移する。
【００４２】
ステップＳ１３０において、制御部３０の制御の下で、ビデオエンコーダ３９は補正処理確認画面５５（図５）を表示パネル２０に表示する。カーソルボタン２４及び決定ボタン２５の操作により許可信号が制御部３０に入力されると（ステップＳ１３２）、制御部３０は、ブレ補正部５１を用いて画像データに補正処理を行い、補正済みの画像データを得る（ステップＳ１３４）。更に、制御部３０は、ブレ補正部５１で補正した旨を表す補正済み情報を生成する。この補正処理済み情報は、当該画像データの付帯データとなって、当該画像データに関連付けられる（ステップＳ１３６）。一方、ステップＳ１３２において制御部３０が却下信号を検出した場合は、デジタルスチルカメラ１０の動作状態はステップＳ１６０に遷移する。
【００４３】
ステップＳ１４０において、制御部３０は、手ブレ検出信号に基づいてブレ量情報を生成する。このブレ量情報は、ブレの大きさ或いはブレの方向を含んでおり、これらが付帯データとなって当該画像データに関連付けられた後、デジタルスチルカメラ１０の動作状態は、ステップＳ１６０に遷移する。
【００４４】
ステップＳ１５０において、制御部３０の制御の下で、ビデオエンコーダ３９は、警告メッセージ（図６）を表示パネル２０に表示する。制御部３０が、この警告メッセージ５６の表示中に各ボタン２４、２５による操作信号を検出すると、制御部３０の制御の下で、ビデオエンコーダ３９は、表示パネル２０に画像データ破棄確認画面５７（図７）を表示する（ステップＳ１５２）。ここで制御部３０が許可信号を検出すると、当該画像データの保存処理を行わずに、デジタルスチルカメラ１０の動作状態はステップＳ１７０に遷移する。一方、画像データ破棄確認画面５７が表示パネル２０に表示されるときに、制御部３０が却下信号を検出すると、当該画像データを保持したまま、デジタルスチルカメラ１０の動作状態はステップＳ１６０に遷移する。
【００４５】
ステップＳ１６０において、制御部３０は、各処理が施された当該画像データをメモリカード１８に格納する。また、ステップＳ１３６及びＳ１４０にて生成される補正済み情報及びブレ量情報である付帯データは、当該画像データと共にメモリカード１８に格納される。
【００４６】
ステップＳ１７０において、制御部３０が、操作ダイヤル１５からの他のモードへの切り替え操作信号、或いは、デジタルスチルカメラ１０の電源ボタンをオフにする操作信号を検出すると、撮影モードを終了する。
【００４７】
上記実施形態ではデジタルスチルカメラ１０について記載したが、これに限らず、カメラ付き携帯電話などその他の撮像装置に本発明を適用することにより同等の効果を得ることができる。
【００４８】
上記実施形態では、表示パネル２０を第１または第２の通知手段及び警告手段として記載したが、これに限らず、音声や発光ダイオード、バイブレータをデジタルスチルカメラ１０に設け、これらを用いることにより同等の効果を得ることができる。
【００４９】
上記実施形態では、振動検出センサ１４をブレ検出手段として記載したが、これに限らず、ブレ量の定量化が可能な画像処理を用いることにより同等の効果を得ることができる。
【００５０】
上記実施形態では、画像データと当該画像データについての付帯データが同一の画像ファイルとしてメモリカード１８に格納されると記載したが、これに限らず、画像データと付帯データが関連付けられていれば、他の画像ファイル内に格納されても同一の効果を得ることができる。
【００５１】
補正処理の実行確認（図４のステップＳ１３２）や画像データ破棄確認（ステップＳ１５２）にて却下された当該画像データにブレ量情報を関連付けてもよい。
【００５２】
ブレ量判定部５０の判定基準となる判定基準およびプリントサイズは１種類でなくともよい。例えば、複数のプリントサイズを予めＲＯＭ３１に格納し、ブレ量判定部５０が用いる判定基準を設定モードにて変更可能にすることにより、よりユーザの撮影意図に応じた撮影を提供することができる。
【図面の簡単な説明】
【００５３】
【図１】本発明のデジタルスチルカメラの前面側の斜視図である。
【図２】本発明のデジタルスチルカメラの背面側の斜視図である。
【図３】本発明のデジタルスチルカメラの内部構成を示すブロック図である。
【図４】補正処理ルーチンの手順を示すフローチャートである。
【図５】表示パネルに補正処理確認画面を表示した状態を示す説明図である。
【図６】表示パネルに警告メッセージを表示した状態を示す説明図である。
【図７】表示パネルにデータ破棄確認画面を表示した状態を示す説明図である。
【図８】画像データ及び付帯データを格納可能な画像ファイルの構成図である。
【符号の説明】
【００５４】
１０  デジタルスチルカメラ
１４  振動検出センサ
１６  レリーズボタン
１８  メモリカード
２０  表示パネル
２４  カーソルボタン
２５  決定ボタン
３０  制御部
３１  ＲＯＭ
３２  ＲＡＭ
３９  ビデオエンコーダ
５０  ブレ量判定部
５１  ブレ補正部
５５  補正処理確認画面
５６  警告メッセージ
５７  画像データ破棄確認画面
６０  画像ファイル
【図１】
2007060279.tif 000003
【図２】
2007060279.tif 000004
【図３】
2007060279.tif 000005
【図４】
2007060279.tif 000006
【図５】
2007060279.tif 000007
【図６】
2007060279.tif 000008
【図７】
2007060279.tif 000009
【図８】
2007060279.tif 000010